(57)【特許請求の範囲】
【請求項１】
現用系と予備系とで圧縮符号化され伝送ブロック化されたブロック構造であり、各伝送ブロック毎に自ブロックの重畳データを識別するための識別情報が付加されたデジタル放送信号を、現用・予備切替信号に応じて選択的に導出するデジタル放送番組送出システムの現用・予備切替装置において、
前記現用系と予備系の各デジタル放送信号をそれぞれ所定ブロック数分保存する現用系バッファ及び予備系バッファと、
前記現用系バッファ及び予備系バッファに保存された前記現用系と予備系の各デジタル放送信号のいずれか一方を選択的に導出すると同時に、この導出されたデジタル放送信号の各ブロックに処理を加える切替スイッチと、
前記現用系バッファ及び予備系バッファに保存されたデジタル放送信号の各ブロックに付加された識別情報を検出する識別情報検出手段と、
伝送ブロックの種類に応じた切替タイミングを、前記識別情報に対応付けたテーブルとして格納する記憶部と、
前記現用・予備切替信号が入力されたとき、前記識別情報検出手段により検出された識別情報に応じて前記現用系から予備系にまたは予備系から現用系に切り替える伝送ブロックの種類に応じた切替タイミングを前記記憶部から読み出して決定し、その切替タイミングに従って前記切替スイッチを現用系から予備系にまたは予備系から現用系に切り替える切替制御手段とを具備することを特徴とするデジタル放送番組送出システムの現用・予備切替装置。
【請求項２】
現用系と予備系とでＭＰＥＧ２符号化方式で規定されるフォーマットで生成されたパケット構造であり各パケット毎に自パケットの重畳データを識別するための識別情報が付加されたトランスポートストリームを、現用・予備切替信号に応じて選択的に導出するデジタル放送番組送出システムの現用・予備切替装置において、
前記現用系と予備系の各トランスポートストリームをそれぞれ所定パケット数分保存する現用系バッファ及び予備系バッファと、
前記現用系バッファ及び予備系バッファに保存された前記現用系と予備系の各トランスポートストリームのいずれか一方を選択的に導出すると同時に、この導出されたトランスポートストリームの各パケットに処理を加える切替スイッチと、
前記現用系バッファ及び予備系バッファに保存されたトランスポートストリームの各パケット毎に付加された識別情報を検出する識別情報検出手段と、
トランスポートストリームの種類に応じた切替タイミングを、前記識別情報に対応付けたテーブルとして格納する記憶部と、
前記現用・予備切替信号が入力されたとき、前記識別情報検出手段により検出された識別情報に応じて前記現用系から予備系にまたは予備系から現用系に切り替えるトランスポートストリームの種類に応じた切替タイミングを前記記憶部から読み出して切替タイミングを決定し、その切替タイミングに従って前記切替スイッチを現用系から予備系にまたは予備系から現用系に切り替える切替制御手段とを具備することを特徴とするデジタル放送番組送出システムの現用・予備切替装置。
【請求項３】
現用系と予備系とで圧縮符号化され伝送ブロック化されたブロック構造であり、各伝送ブロック毎に自ブロックの重畳データを識別するための識別情報が付加されかつ該識別情報を管理する情報ブロックを含むデジタル放送信号を、現用・予備切替信号に応じて選択的に導出するデジタル放送番組送出システムの現用・予備切替装置において、
前記現用系と予備系の各デジタル放送信号をそれぞれ所定ブロック数分保存する現用系バッファ及び予備系バッファと、
前記現用系バッファ及び予備系バッファに保存された前記現用系と予備系の各デジタル放送信号のいずれか一方を選択的に導出すると同時に、この導出されたデジタル放送信号の各ブロックに処理を加える切替スイッチと、
前記現用系バッファ及び予備系バッファにそれぞれ保存されたデジタル放送信号中に含まれる情報ブロックを検出する検出手段と、
伝送ブロックの種類に応じた切替タイミングを、前記識別情報に対応付けたテーブルとして格納する記憶部と、
前記現用・予備切替信号が入力されたとき、前記検出手段により検出された情報ブロックから、現用系バッファ及び予備系バッファにそれぞれ保存されているデジタル放送信号の各ブロック毎の識別情報を判別し、その識別情報に応じた前記現用系から予備系にまたは予備系から現用系に切り替える伝送ブロックの種類に応じた切替タイミングを前記記憶部から読み出して切替タイミングを決定し、その切替タイミングに従って前記切替スイッチを現用系から予備系にまたは予備系から現用系に切り替える切替制御手段とを具備することを特徴とするデジタル放送番組送出システムの現用・予備切替装置。
【請求項４】
現用系と予備系とでＭＰＥＧ２符号化方式で規定されるフォーマットで生成されたパケット構造であり各パケット毎に自パケットを識別するための識別情報が付加されかつ該識別情報を管理する情報パケットを含むトランスポートストリームを、現用・予備切替信号に応じて選択的に導出するデジタル放送番組送出システムの現用・予備切替装置において、
前記現用系と予備系の各トランスポートストリームをそれぞれ所定パケット数分保存する現用系バッファ及び予備系バッファと、
前記現用系バッファ及び予備系バッファに保存された現用系と予備系の各トランスポートストリームのいずれか一方を選択的に導出すると同時に、この導出されたトランスポートストリームの各パケットに処理を加える切替スイッチと、
前記現用系バッファ及び予備系バッファにそれぞれ保存されたトランスポートストリーム中に含まれる前記情報パケットを検出する検出手段と、
トランスポートストリームの種類に応じた切替タイミングを、前記識別情報に対応付けたテーブルとして格納する記憶部と、
前記現用・予備切替信号が入力されたとき、前記検出手段により検出された情報パケットから、現用系バッファ及び予備系バッファにそれぞれ保存されているトランスポートストリームの各パケット毎の識別情報を判別し、その識別情報に応じて前記現用系から予備系にまたは予備系から現用系に切り替えるトランスポートストリームの種類に応じた切替タイミングを前記記憶部から読み出して切替タイミングを決定し、その切替タイミングに従って前記切替スイッチを現用系から予備系にまたは予備系から現用系に切り替える切替制御手段とを具備することを特徴とするデジタル放送番組送出システムの現用・予備切替装置。
【発明の詳細な説明】
【０００１】
【発明の属する技術分野】
この発明は、現用・予備の二重化構造を有するデジタル放送番組送出システムに係り、特に現用・予備の切替制御技術に関する。
【０００２】
【従来の技術】
従来より、放送送出設備にあっては、機器の故障対策及び保守のために、現用・予備の二重化構成とすることが一般的となっている。
【０００３】
ここで、従来のアナログ放送番組送出システムでは、信号が圧縮されていないため、現用・予備の切替時にショックが目立たないようにするのに、フレーム同期を行なった上で、フレーム位置で切り替えるものとし、接点の切替時に発生するノイズ対策等を講じるだけで十分であった。
【０００４】
しかしながら、デジタル放送番組送出システムでは、ベースバンド系の先において放送データに圧縮を施してストリームを形成しており、圧縮されたストリームにおいては切れ目が分かり難い。このため、デジタル放送番組送出システムでは、現用・予備の切り替えにおいて、アナログ放送のように単純にフレーム同期を行なってフレーム位置で切り替えることができない。
【０００５】
【発明が解決しようとする課題】
以上述べたようにデジタル放送番組送出システムにあっては、アナログ放送の技術をそのまま適用することはできず、現用・予備の切り替えをスムーズに行なうための切替装置が必要となっている。
【０００６】
この発明の目的は、取り扱うデジタル放送信号の種類や内容に応じて、現用・予備の切り替えを送出信号に極力乱れを生じさせることなく行なうことのできるデジタル放送番組送出システムの現用・予備切替装置を提供することにある。
【０００７】
【課題を解決するための手段】
この発明は、現用系と予備系とで圧縮符号化され伝送ブロック化されたブロック構造であり、各伝送ブロック毎に自ブロックの重畳データを識別するための識別情報が付加されたデジタル放送信号を、現用・予備切替信号に応じて選択的に導出するデジタル放送番組送出システムの現用・予備切替装置において、現用系と予備系の各デジタル放送信号をそれぞれ所定ブロック数分保存する現用系バッファ及び予備系バッファと、現用系バッファ及び予備系バッファに保存された現用系と予備系の各デジタル放送信号のいずれか一方を選択的に導出すると同時に、この導出されたデジタル放送信号の各ブロックに処理を加える切替スイッチと、現用系バッファ及び予備系バッファに保存されたデジタル放送信号の各ブロックに付加された識別情報を検出する識別情報検出手段と、伝送ブロックの種類に応じた切替タイミングを、識別情報に対応付けたテーブルとして格納する記憶部と、現用・予備切替信号が入力されたとき、識別情報検出手段により検出された識別情報に応じて現用系から予備系にまたは予備系から現用系に切り替える伝送ブロックの種類に応じた切替タイミングを記憶部から読み出して決定し、その切替タイミングに従って切替スイッチを現用系から予備系にまたは予備系から現用系に切り替える切替制御手段とを具備することを特徴とする。
また、この発明は、現用系と予備系とでＭＰＥＧ２符号化方式で規定されるフォーマットで生成されたパケット構造であり各パケット毎に自パケットの重畳データを識別するための識別情報が付加されたトランスポートストリームを、現用・予備切替信号に応じて選択的に導出するデジタル放送番組送出システムの現用・予備切替装置において、現用系と予備系の各トランスポートストリームをそれぞれ所定パケット数分保存する現用系バッファ及び予備系バッファと、現用系バッファ及び予備系バッファに保存された現用系と予備系の各トランスポートストリームのいずれか一方を選択的に導出すると同時に、この導出されたトランスポートストリームの各パケットに処理を加える切替スイッチと、現用系バッファ及び予備系バッファに保存されたトランスポートストリームの各パケット毎に付加された識別情報を検出する識別情報検出手段と、トランスポートストリームの種類に応じた切替タイミングを、識別情報に対応付けたテーブルとして格納する記憶部と、現用・予備切替信号が入力されたとき、識別情報検出手段により検出された識別情報に応じて現用系から予備系にまたは予備系から現用系に切り替えるトランスポートストリームの種類に応じた切替タイミングを記憶部から読み出して切替タイミングを決定し、その切替タイミングに従って切替スイッチを現用系から予備系にまたは予備系から現用系に切り替える切替制御手段とを具備することを特徴とする。
また、この発明は、現用系と予備系とで圧縮符号化され伝送ブロック化されたブロック構造であり、各伝送ブロック毎に自ブロックの重畳データを識別するための識別情報が付加されかつ該識別情報を管理する情報ブロックを含むデジタル放送信号を、現用・予備切替信号に応じて選択的に導出するデジタル放送番組送出システムの現用・予備切替装置において、現用系と予備系の各デジタル放送信号をそれぞれ所定ブロック数分保存する現用系バッファ及び予備系バッファと、現用系バッファ及び予備系バッファに保存された現用系と予備系の各デジタル放送信号のいずれか一方を選択的に導出すると同時に、この導出されたデジタル放送信号の各ブロックに処理を加える切替スイッチと、現用系バッファ及び予備系バッファにそれぞれ保存されたデジタル放送信号中に含まれる情報ブロックを検出する検出手段と、伝送ブロックの種類に応じた切替タイミングを、識別情報に対応付けたテーブルとして格納する記憶部と、現用・予備切替信号が入力されたとき、検出手段により検出された情報ブロックから、現用系バッファ及び予備系バッファにそれぞれ保存されているデジタル放送信号の各ブロック毎の識別情報を判別し、その識別情報に応じた現用系から予備系にまたは予備系から現用系に切り替える伝送ブロックの種類に応じた切替タイミングを記憶部から読み出して切替タイミングを決定し、その切替タイミングに従って切替スイッチを現用系から予備系にまたは予備系から現用系に切り替える切替制御手段とを具備することを特徴とする。
さらに、この発明は、現用系と予備系とでＭＰＥＧ２符号化方式で規定されるフォーマットで生成されたパケット構造であり各パケット毎に自パケットを識別するための識別情報が付加されかつ該識別情報を管理する情報パケットを含むトランスポートストリームを、現用・予備切替信号に応じて選択的に導出するデジタル放送番組送出システムの現用・予備切替装置において、現用系と予備系の各トランスポートストリームをそれぞれ所定パケット数分保存する現用系バッファ及び予備系バッファと、現用系バッファ及び予備系バッファに保存された現用系と予備系の各トランスポートストリームのいずれか一方を選択的に導出すると同時に、この導出されたトランスポートストリームの各パケットに処理を加える切替スイッチと、現用系バッファ及び予備系バッファにそれぞれ保存されたトランスポートストリーム中に含まれる情報パケットを検出する検出手段と、トランスポートストリームの種類に応じた切替タイミングを、前記識別情報に対応付けたテーブルとして格納する記憶部と、現用・予備切替信号が入力されたとき、検出手段により検出された情報パケットから、現用系バッファ及び予備系バッファにそれぞれ保存されているトランスポートストリームの各パケット毎の識別情報を判別し、その識別情報に応じて現用系から予備系にまたは予備系から現用系に切り替えるトランスポートストリームの種類に応じた切替タイミングを前記記憶部から読み出して切替タイミングを決定し、その切替タイミングに従って切替スイッチを現用系から予備系にまたは予備系から現用系に切り替える切替制御手段とを具備することを特徴とする。
【０００８】
この発明では、現用・予備切替信号が入力されると、現用系バッファに保存されたトランスポートストリームの各パケット毎の識別情報及び予備系バッファに保存されたトランスポートストリームの各パケット毎の識別情報がそれぞれ検出され、これら検出結果に応じた現用系から予備系にまたは予備系から現用系に切り替えるための切替方式が求められる。
【０００９】
従って、トランスポートストリームのパケット毎に付加された識別情報を利用することにより、現用・予備の切り替えを送出信号に極力乱れを生じさせることなく行なうことができる。
【００１１】
この発明によれば、現用・予備切替信号が入力されると、現用系バッファに保存されたトランスポートストリームから検出される各パケット毎の識別情報及び予備系バッファに保存されたトランスポートストリームから検出される各パケット毎の識別情報に応じて記憶部に格納されたテーブルから切替方式を示す情報が読み出されるので、その都度検出された識別情報から切替方式を求めることなく、簡単な処理で適切な切替方式の設定を行ない得る。
【００１５】
この発明では、現用・予備切替信号が入力されると、現用系バッファ及び予備系バッファにそれぞれ保存されたトランスポートストリーム中に含まれる情報パケットが検出され、この検出された情報パケットから、現用系バッファ及び予備系バッファにそれぞれ保存されているトランスポートストリームの各パケット毎の識別情報が判別され、その識別情報に応じた現用系から予備系にまたは予備系から現用系に切り替えるための切替方式が求められる。
【００１６】
従って、トランスポートストリーム中に含まれる情報パケットを利用することにより、トランスポートストリームの各パケットに付加される識別情報を順次監視することなく、現用・予備の切り替えを送出信号に極力乱れを生じさせることなく行なえる。
【００１７】
【発明の実施の形態】
以下、この発明の実施形態について図面を参照して詳細に説明する。
【００１８】
（第１の実施形態）
図１はこの発明に係るデジタル放送番組送出システムの第１の実施形態を示すブロック図である。図１において、１１は現用系送出装置、１２は予備系送出装置である。
【００１９】
現用送出装置１１は、番組素材データを選択的に出力するスイッチャー（ＳＷ）１１１と、このスイッチャー１１１を番組編成データに基づいて切替制御する自動番組送出制御装置（ＡＰＣ）１１２と、この自動番組送出制御装置１１２の切替制御に基づいてスイッチャー１１１から出力される番組素材データをＭＰＥＧ２符号化方式に基づいて可変長圧縮符号化し、ＭＰＥＧ２トランスポートストリームパケットに変換するエンコーダ（ＥＮＣ）１１３と、このエンコーダ１１３の出力パケットと各種制御データとをパケット多重するマルチプレクサ（ＭＵＸ）１１４と、上記自動番組送出制御装置１１２からの制御情報に基づいてエンコーダ１１３及びマルチプレクサ１１４を制御する符号化多重制御装置（ＥＭＣ）１１５を備える。
【００２０】
予備系送出装置１２は、現用系と全く同構成であり、スイッチャー（ＳＷ）１２１、番組素材切替制御装置（ＡＰＣ）１２２、エンコーダ（ＥＮＣ）１２３、マルチプレクサ（ＭＵＸ）１２４、符号化多重制御装置（ＥＭＣ）１２５を備える。
【００２１】
上記現用系送出装置１１及び予備系送出装置１２からＭＰＥＧ２トランスポートストリームが現用・予備切替装置１３に供給される。
【００２２】
この現用・予備切替装置１３は、バッファ１３１、１３２と、ＰＩＤ検出部１３３、１３４と、切替スイッチ（ＳＷ）１３５と、切替方式記憶部１３６と、切替制御部１３７とを備える。
【００２３】
バッファ１３１、１３２は、現用系送出装置１１及び予備系送出装置１２からのパケット列を所定個数いったん保持する。
【００２４】
ＰＩＤ検出部１３３、１３４は、バッファ１３１、１３２に保持された各パケットに付加されたＰＩＤ（Packet ID）を検出する。
【００２５】
切替スイッチ１３５は、各バッファ１３１、１３２の出力を加工し選択的に導出する。
【００２６】
切替方式記憶部１３６は、図２に示すように、ＰＩＤ毎の切替方式を示す情報を記憶している。
【００２７】
切替制御部１３７は、現用・予備切替トリガ信号が入力されたとき、各ＰＩＤ検出部１３３、１３４で検出されるＰＩＤに対応する切替方式を示す情報を切替方式記憶部１３６から読み出し、この読み出した切替方式を示す情報に従って、切替スイッチ１３５の接続を現用系から予備系にまたは予備系から現用系に切替制御する。
【００２８】
上記構成において、以下にその処理動作を説明する。
【００２９】
まず、現用系送出装置１１及び予備系送出装置１２は、ＭＰＥＧ２トランスポートストリームパケットを生成する。このＭＰＥＧ２トランスポートストリームパケットは、本来１８８ｂｙｔｅ毎に区切ってパケット化されたものであるが、送出装置出力時点では、伝送のための付加的な情報が１６ｂｙｔｅ付けられており、各パケットが２０４ｂｙｔｅになっている。図３にビデオとオーディオで構成されている例を示す。
【００３０】
ここで、現用・予備切替装置１３では、上記の現用系送出装置１１からのＭＰＥＧ２トランスポートストリームパケットをバッファ１３１に入力し、上記予備系送出装置１２からのＭＰＥＧ２トランスポートストリームパケットをバッファ１３２に入力し、それぞれ所定個数のパケットを順次保持する。各バッファ１３１、１３２に保持されたパケットはそれぞれＰＩＤ検出部１３３、１３４によってＰＩＤが検出され、その検出結果は切替制御部１３７に通知される。
【００３１】
この切替制御部１３７では、現用・予備切替トリガ信号が与えられると、各バッファ１３１、１３２に保持されたパケットのＰＩＤに対応する切替方式を示す情報を切替方式記憶部１３６から読み出し、この読み出した情報に従って、切替制御部１３７が切替スイッチ１３５を制御し、切替スイッチ１３５は、タイミング調整や、データ加工を行ないながら、バッファ１３１、１３２から音声、映像、データ毎に順次切り替える。
【００３２】
ここで、バッファ１３１、１３２にそれぞれ保存されているパケットのＰＩＤで「０Ｘ１００」のものがあったとすると、切替制御部１３７は、この「０Ｘ１００」に対応する切替方式を切替方式記憶部１３６から参照し、この参照した切替方式に基づく切替位置を見つけ、切替スイッチ１３５を制御する。切替スイッチ１３５は、その切替位置からタイミング調整やデータ加工を行ないながら、ＰＩＤ「０Ｘ１００」について現用系から予備系にまたは予備系から現用系に切り替える。これによりＰＩＤ「０Ｘ１００」のパケットは、受信に大きな支障がでるような情報の乱れを極力生じさせることなく送出される。
【００３３】
以上のように上記実施形態では、現用・予備切替トリガ信号が入力されると、バッファ１３１、１３２に保存されたパケットのＰＩＤがそれぞれＰＩＤ検出部１３３、１３４により検出され、切替制御部１３７にてこの検出結果に対応する切替方式を示す情報が切替方式記憶部１３６から読み出され、この切替方式に従って現用系から予備系にまたは予備系から現用系に切り替えられる。
【００３４】
したがって、トランスポートストリームのパケット毎に付加されたＰＩＤを利用することにより、現用・予備の切り替えを送出信号に極力乱れを生じさせることなく行なうことができる。また、ＰＩＤと切替方式とを対応付けた切替方式記憶部１３６を用意していることにより、簡単な処理で適切な切替方式により現用・予備の切り替えを行なうことができる。
【００３５】
なお、上記第１の実施形態では、切替制御部１３７が切替方式記憶部１３６から切替対象となるパケットのＰＩＤに対応する切替方式を読み出す例について説明したが、例えば自動番組送出制御装置１１２、１２２との間における通信機能を備えている場合に、現用・予備切替トリガ信号が入力されたとき、ＰＩＤ検出部１３３、１３４により検出されるＰＩＤに対応する切替方式を示す情報を通信機能により自動番組送出制御装置１１２、１２２から取り込み、この取り込んだ切替方式を示す情報に従って切替スイッチ１３５が現用系から予備系にまたは予備系から現用系に切り替えるように制御してもよい。この場合、ＰＩＤに対するストリーム種類の変更による切替方式の変更があったとしてもその変更に容易に対応できるようになる。また、ストリーム種類の追加による切替方式の追加があったとしてもその追加に容易に対応できるようになる。
【００３６】
（第２の実施形態）
図４は、この発明に係るデジタル放送番組送出システムの第２の実施形態を示すブロック図である。なお、図４において、図１と同一部分には同一符号を付して詳細な説明を省略する。
【００３７】
すなわち、図４に示すシステムでは、ＰＩＤ検出部１３３、１３４に代えて、情報パケット検出部１３８、１３９を備えるようにしたものである。
【００３８】
情報パケット検出部１３８、１３９は、バッファ１３１、１３２に保持された各パケット中のＰＭＴ（Program Map Table）パケット、ＰＡＴ（Program Association Table）パケットといったＰＩＤを管理する情報パケットを検出する。
【００３９】
切替制御部１４０は、現用・予備切替トリガ信号が入力されたとき、情報パケット検出部１３８、１３９により検出される情報パケットから、バッファ１３１、１３２にそれぞれ保存されているパケットのＰＩＤを判別し、そのＰＩＤに対応する切替方式を示す情報を切替方式記憶部１３６から読み出し、この読み出した切替方式を示す情報に従って、切替スイッチ１３５の接続を現用系から予備系にまたは予備系から現用系に切替制御する。
【００４０】
このように第２の実施形態であれば、現用・予備切替トリガ信号が入力されると、バッファ１３１、１３２に保存された複数のパケットの中から情報パケットが情報パケット検出部１３８、１３９により検出され、切替制御部１４０にてこの検出された情報パケットから、バッファ１３１、１３２にそれぞれ保存されているトランスポートストリームのＰＩＤが判別される。そして、そのＰＩＤに対応する切替方式を示す情報が切替方式記憶部１３６から読み出され、この切替方式に従って現用系から予備系にまたは予備系から現用系に切り替えられる。
【００４１】
従って、トランスポートストリーム中に含まれるＰＭＴ、ＰＡＴといった情報パケットを利用することにより、トランスポートストリームの各パケットに付加されるＰＩＤを順次監視することなく、現用・予備の切り替えを送出信号に極力乱れを生じさせることなく行なうことができる。
【００４２】
なお、上記第２の実施形態では、切替制御部１４０が切替方式記憶部１３６から切替対象となるパケットのＰＩＤに対応する切替方式を読み出す例について説明したが、例えば自動番組送出制御装置１１２、１２２との間における通信機能を備えている場合に、現用・予備切替トリガ信号が入力されたとき、情報パケット検出部１３８、１３９により検出される情報パケットから判別されるＰＩＤに対応する切替方式を示す情報を通信機能により番組素材切替制御装置１１２、１２２から取り込み、この取り込んだ切替方式を示す情報に従って切替スイッチ１３５を現用系から予備系にまたは予備系から現用系に切り替えるように制御してもよい。この場合、ＰＩＤに対するストリーム種類の変更による切替方式の変更があったとしてもその変更に容易に対応できるようになる。また、ストリーム種類の追加による切替方式の追加があったとしてもその追加に容易に対応できるようになる。
【００４３】
（その他の実施形態）
この発明は、上記各実施形態に限定されるものではない。例えばＰＩＤから切替方式を容易に想定できるようなものであれば、ＰＩＤから直接に切替方式を求めるようにしてもよい。
【００４４】
また、各実施形態において、ＭＰＥＧ２のトランスポートストリーム以外のデジタル放送信号を取り扱うようにしてもよい。
【００４５】
その他、システムの構成、現用・予備切替装置の構成、情報パケットの種類、切替方式記憶部の記憶内容、切替制御部における制御手順等についても、この発明の要旨を逸脱しない範囲で種々変形して実施できる。
【００４６】
【発明の効果】
以上詳述したようにこの発明によれば、取り扱うデジタル放送信号の種類や内容に応じて、現用・予備の切り替えを送出信号に極力乱れを生じさせることなく行なうことのできるデジタル放送番組送出システムの現用・予備切替装置を提供することができる。
【図面の簡単な説明】
【図１】この発明に係るデジタル放送番組送出システムの第１の実施形態を示すブロック図。
【図２】図１に示した切替方式記憶部の記憶内容の一例を示す図。
【図３】ＭＰＥＧ２トランスポートストリームパケットの構造を示す図。
【図４】この発明に係るデジタル放送番組送出システムの第２の実施形態を示すブロック図。
【符号の説明】
１１…現用送出装置、
１２…予備送出装置、
１１１、１２１…スイッチャー（ＳＷ）、
１１２、１２２…自動番組送出制御装置（ＡＰＣ）、
１１３、１２３…エンコーダ（ＥＮＣ）、
１１４、１２４…マルチプレクサ（ＭＵＸ）、
１１５、１２５…符号化多重制御装置（ＥＭＣ）、
１３…現用・予備切替装置、
１３１、１３２…バッファ、
１３３、１３４…ＰＩＤ検出部、
１３５…切替スイッチ（ＳＷ）、
１３６…切替方式記憶部、
１３７、１４０…切替制御部
１３８、１３９…情報パケット検出部。
【図１】
0004467826.tif 000002
【図２】
0004467826.tif 000003
【図３】
0004467826.tif 000004
【図４】
0004467826.tif 000005